【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
放射性セシウムで汚染された汚染土（Ｓ）から放射性セシウムを除去する、汚染土の除染方法であって、
（ｉ）汚染土（Ｓ）に水もしくは酸性水溶液を添加して得た、汚染土（Ｓ）のスラリーを磨砕機（ＡＴ）の供給口に供給して、半自生・自生湿式磨砕によって汚染土（Ｓ）の粒子表面を磨砕して該表面から放射性セシウムが付着している微粒子を削り取り、磨砕機（ＡＴ）の吐出口から磨砕土のスラリー（Ｂ）を取り出す、もしくは磨砕機（ＡＴ）の吐出口から排出された磨砕土をスクリーン（ＳＣ）で礫（Ｇ１）を取り除いた後に磨砕土のスラリー（Ｂ）を取り出す、
又は、汚染土（Ｓ）を磨砕機（ＡＴ）の供給口に供給して、半自生・自生乾式磨砕によって汚染土（Ｓ）の粒子表面を磨砕して該表面から放射性セシウムが付着している微粒子を削り取り、磨砕機（ＡＴ）の吐出口から排出される磨砕土を水もしくは酸性水溶液と混合して磨砕土のスラリー（Ｂ）を取り出す、もしくは磨砕機（ＡＴ）の吐出口から排出された磨砕土と水もしくは酸性水溶液を混合しスクリーン（ＳＣ）で礫（Ｇ１）を取り除いた後に磨砕土のスラリー（Ｂ）を取り出す、アトリッション工程（工程１）
（ｉｉ）前記磨砕土のスラリー（Ｂ）を、液体サイクロン（ＣＹ）に連続的に供給して、放射性セシウムが濃縮された微粒子状の汚染土のスラリー（Ｂ１）を該装置（ＣＹ）からオーバーフローさせる一方、放射性セシウム濃度が低減された、前記汚染土より粒径の大きい粒子状の除染土のスラリー（Ｂ２）を該装置（ＣＹ）からアンダーフローさせて分級する分級工程（工程２）、
（ｉｉｉ）前記汚染土のスラリー（Ｂ１）に、少なくとも捕収剤（Ｃ１）を含む浮選剤（Ｃ）を添加して浮選機（ＦＬ）に供給すると共に、浮選機（ＦＬ）の下部から気泡を供給することにより、浮選機（ＦＬ）の上部から放射性セシウムが濃縮された浮上物（Ｕ）を浮上回収する一方、下部からアンダーフロー水（Ｗ１）を回収する、浮選工程（工程３）、
を含む、ことを特徴とする汚染土の除染方法。
【請求項２】
前記アトリッション工程（工程１）と分級工程（工程２）間、及び／又は分級工程（工程２）と浮選工程（工程３）間に中間タンク（ＴＮ）を設けて、アトリッション工程（工程１）、分級工程（工程２）、及び浮選工程（工程３）から選択される１又は２以上の工程を連続運転する、ことを特徴とする請求項１に記載の汚染土の除染方法。
【請求項３】
前記工程１のアトリッション工程において、磨砕土のスラリー（Ｂ）中の磨砕土濃度が５〜３０質量％である、ことを特徴とする請求項１又は２に記載の汚染土の除染方法。
【請求項４】
前記工程１のアトリッション工程において、酸性水溶液を添加した場合のスラリーのｐＨが０〜６．５である、ことを特徴とする請求項１から３のいずれかに記載の汚染土の除染方法。
【請求項５】
前記磨砕機（ＡＴ）において、汚染土（Ｓ）又は磨砕土のスラリーが流通する部分の外形形状が円筒状であり、当該部分の内面壁に磨砕効果を高めるための突起物が設けられている、ことを特徴とする請求項１から４のいずれかに記載の汚染土の除染方法。
【請求項６】
前記工程２の分級工程において、液体サイクロンの磨砕土の分級点が３０μｍであることを特徴とする請求項１から５のいずれかに記載の汚染土の除染方法。
【請求項７】
前記工程２の分級工程において、液体サイクロン（ＣＹ）からアンダーフローさせた除染土のスラリー（Ｂ２）を脱水・ろ過器（ＤＨ１）で脱水した後、除染土（Ｇ２）を回収すると共に、ろ過水（Ｗ２）を液体サイクロン（ＣＹ）からオーバーフローしたスラリー中にリサイクルするか、又はアトリッション工程（工程１）における磨砕機（ＡＴ）もしくはスクリーン（ＳＣ）にリサイクルする、ことを特徴とする請求項１から６のいずれかに記載の汚染土の除染方法。
【請求項８】
前記工程３の浮選工程において、使用される捕収剤（Ｃ１）が炭素原子数６〜２０の高級アルキルアミンから製造されるアルキルアミン塩型カチオン界面活性剤、炭素数６〜１８の第四級アルキルアンモニウム塩型カチオン界面活性剤、炭素数６〜２０のアルキル硫酸エステルの塩、炭素数６〜２０の脂肪酸アルカリ金属塩、炭素数６〜２０のアルキルベンゼンスルホン酸塩、及び炭素数６〜２０のアルキルスルホン酸塩から選択される１種又は２種以上である、ことを特徴とする請求項１から７のいずれかに記載の汚染土の除染方法。
【請求項９】
前記工程３の浮選工程において、（ｉ）捕収剤（Ｃ１）が前記炭素原子数６〜２０のアルキルアミン塩カチオン界面活性剤でかつ浮選機（ＦＬ）内のスラリー水溶液が酸性域（ｐＨ０〜６）、（ｉｉ）捕収剤（Ｃ１）が前記炭素原子数６〜２０の脂肪酸アルカリ金属塩でありかつ浮選機（ＦＬ）内のスラリー水溶液が中性〜アルカリ性域（ｐＨ６〜１２）、（ｉｉｉ）捕収剤（Ｃ１）が前記炭素数６〜２０のアルキルベンゼンスルホン酸塩でありかつ浮選機（ＦＬ）内のスラリー水溶液が強酸性〜酸性域（ｐＨ３以下）、又は（ｉｖ）捕収剤（Ｃ１）が炭素数６〜２０のアルキルスルホン酸塩でありかつ浮選機（ＦＬ）内のスラリー水溶液が強酸性〜酸性域（ｐＨ３以下）である、ことを特徴とする請求項８に記載の汚染土の除染方法。
【請求項１０】
前記工程３の浮選工程において、浮選剤（Ｃ）に捕収剤（Ｃ１）と、ｐＨ調整剤（Ｃ２）、吸着剤（Ｃ３）、及び共沈剤（Ｃ４）から選択される１種又は２種以上とが含まれる、ことを特徴とする請求項１から９のいずれかに記載の汚染土の除染方法。
【請求項１１】
前記工程３の浮選工程において、使用される吸着剤（Ｃ３）がゼオライト微粉末、ベントナイト微粉末、及びカオリン微粉末から選択される１種又は２種以上であることを特徴とする請求項１０に記載の汚染土の除染方法。
【請求項１２】
前記工程３の浮選工程において、使用される共沈剤（Ｃ４）がフェロシアン化鉄、フェロシアン化銅、フェロシアン化ニッケル、フェロシアン化コバルト、水酸化第２鉄、塩化第２鉄、硫酸第２鉄、水酸化コバルト、及びリン酸カルシュウムから選択される１種又は２種以上である、ことを特徴とする請求項１０又は１１に記載の汚染土の除染方法。
【請求項１３】
前記工程３の浮選工程において、浮選剤（Ｃ）として、捕収剤（Ｃ１）、ｐＨ調整剤（Ｃ２）、及び吸着剤（Ｃ３）を使用する、ことを特徴とする請求項１０又は１１に記載の汚染土の除染方法。
【請求項１４】
前記工程３の浮選工程において、浮選機（ＦＬ）の下部に供給される気泡がマイクロバブルである、ことを特徴とする請求項１から１３のいずれかに記載の汚染土の除染方法。
【請求項１５】
前記工程３の浮選工程において、浮選機（ＦＬ）の上部から浮上物（Ｕ）を浮上回収した後、脱水ろ過器（ＤＨ２）で脱水した固形物を低レベル放射性物質（Ｒ）として保管し、該脱水により生成したろ過水（Ｗ３）はアトリッション工程（工程１）における磨砕機（ＡＴ）、又はスクリーン（ＳＣ）にリサイクルする、ことを特徴とする請求項１から１４のいずれかに記載の汚染土の除染方法。
【請求項１６】
前記工程３の浮選工程において、浮選機（ＦＬ）の下部から取り出されたアンダーフロー水（Ｗ１）をアトリッション工程（工程１）における磨砕機（ＡＴ）、又はスクリーン（ＳＣ）にリサイクルする、ことを特徴とする請求項１から１５のいずれかに記載の汚染土の除染方法。
【請求項１７】
前記アトリッション工程（工程１）において汚染土（Ｓ）のスラリーを汚染土（Ｓ）に酸水溶液を添加もしくは酸水溶液で洗浄により得るか、
又は前記工程２で得られる汚染土のスラリー（Ｂ１）に更に酸水溶液を添加撹拌して磨砕土に付着している放射性セシウムを水溶液中に溶解後、
工程３の浮選工程において、浮選機（ＦＬ）に捕収剤（Ｃ１）、もしくは捕収剤（Ｃ１）とｐＨ調整剤（Ｃ２）を添加して、浮選機（ＦＬ）の上部から浮上物（Ｕ）を浮上回収する一方、下部から放射性セシウムを含むアンダーフロー水（Ｗ１）を回収し、
更に、アンダーフロー水（Ｗ１）に少なくとも吸着剤（Ｃ３）又は共沈剤（Ｃ４）を添加して第２の浮選機（ＦＬ２）に供給する一方、該浮選機（ＦＬ２）の下部から気泡を供給することにより、浮選機（ＦＬ）の上部から放射性セシウムが濃縮された浮上物（Ｕ２）を浮上回収する一方、下部から放射性セシウムが除去されたアンダーフロー水を回収する、ことを特徴とする請求項１に記載の汚染土の除染方法。
【手続補正２】
【補正対象書類名】明細書
【補正対象項目名】００４２
【補正方法】変更
【補正の内容】
【００４２】
［実施例２］
前記擬汚染土を使用して、図２に示すアトリッション工程（工程１）、分級工程（工程２）、及び浮選工程（工程３）により、添加したセシウムの除去の評価をおこなった。
（１）アトリッション工程
擬汚染土２０ｋｇを研磨機に仕込んで、回転数４７ｒｐｍで研磨機を円周方向に２４０秒間回転させて、乾式磨砕を行って磨砕土を得た。該磨砕土に水１００Ｌ（リットル）を混合して１１０Ｌのスラリーを調製して一旦、撹拌機付きの中間貯槽Ａにたくわえた。
尚、使用した擬汚染土には粒径が５ｍｍ以上の礫は含まれていなかったので礫を除去するためのスクリーンは使用しなかった。
（２）分級工程（工程２）
前記中間貯槽Ａ内の磨砕土のスラリーを流入圧を１．５ｋｇｆ／ｃｍ２、供給量１００Ｌ／ｈｒとして、図３に示す液体サイクロンに供給した。
液体サイクロンの上部から汚染土のスラリー（Ｉ）１００．０５ｋｇ（該スラリー中の固形分０．９５ｋｇ）を得て撹拌機付きの中間貯槽Ｂにたくわえた。液体サイクロンの下部から除染土スラリー２０．２ｋｇ（該スラリー中の固形分１９．２ｋｇ、液状物１ｋｇ）を得た。
該除染土スラリーのセシウム濃度は１１ｐｐｍであった。
スタートの際の操作運転方法は実施例１と同様とした。